(57)【要約】【課題】  理髪店用等の広告表示として用いられる表示器として光源を回転可能な柱体で覆ったものがあるが、この光源として発光ダイオードを用いる場合、発光ダイオードを多数用いる必要があるため、コスト高となる。【解決手段】  複数の発光ダイオード２を螺旋状に配置した柱体３と、この柱体３を回転させる回転機構４と、柱体３の周囲を覆う筒体５と、筒体５の周面に沿って設けられる回折格子フィルム６とを備えることで、回折格子フィルム６の分色作用及び分像作用を利用して、発光ダイオード２の発光を分色表示したり、分像表示することができると共に、これらの表示を、柱体３の回転に応じて随時変化させることを可能にした。【選択図】      図１
2006145607.tif 000002
【特許請求の範囲】
【請求項１】
複数の発光ダイオードによって発光表示を行う発光表示器において、前記複数の発光ダイオードの発光路に回折格子フィルムを配置すると共に、前記複数の発光ダイオードと前記回折格子フィルムを相対的に回転させることを特徴とする発光表示器。
【請求項２】
前記複数の発光ダイオードには、発光色が異なる複数の発光ダイオード、又は多色発光可能な発光ダイオードが含まれることを特徴とする請求項１記載の発光表示器。
【請求項３】
前記複数の発光ダイオードを柱体の表面に配置して、少なくとも螺旋表示を行う一方、前記回折格子フィルムを、前記柱体を覆う透明な筒体の内周又は外周に配置し、さらに、前記柱体と前記筒体を相対的に回転させることを特徴とする請求項１又は２記載の発光表示器。
【発明の詳細な説明】
【技術分野】
【０００１】
本発明は、複数の発光体によって発光表示を行う発光表示器の技術分野に属するものである。
【背景技術】
【０００２】
従来、光源を囲む回転可能な柱体に広告表示を付し、この柱体の周面を透明の筒体で覆った看板装置が知られており、特に、柱体に螺旋状の図柄を付した理髪店用のものが広く普及している。また、近年では、柱体の外側方に反射板を配置し、柱体に付された図柄を、反射板を介して反射表示する看板装置も提案されている（例えば、特許文献１参照。）。
【０００３】
しかしながら、上記の看板装置は、光源として蛍光管や紫外線照射管を用いるため、光源の寿命が比較的短く、また、複雑な構造であるため、光源の取替えが容易にできないといった問題がある。
この改善策として、蛍光管や紫外線照射管の光源に代えて、寿命の長い発光ダイオードを用いることが考えられる。
【特許文献１】特開平７−６４４９５号公報
【発明の開示】
【発明が解決しようとする課題】
【０００４】
ところで、看板装置の光源を発光ダイオードとした場合には、管切れの問題は解決できるが、発光ダイオードの発光で図柄を表示するには、発光ダイオードを多数用いる必要があるため、コスト高となる点で問題があり、ここに本発明が解決しようとする課題がある。
【課題を解決するための手段】
【０００５】
本発明は、上記の如き実情に鑑みこれらの課題を解決することを目的として創作されたものであって、複数の発光ダイオードによって発光表示を行う発光表示器において、前記複数の発光ダイオードの発光路に回折格子フィルムを配置すると共に、前記複数の発光ダイオードと前記回折格子フィルムを相対的に回転させることを特徴とするものである。このようにすると、回折格子フィルムの分色作用及び分像作用を利用して、発光ダイオードの発光を分色表示したり、分像表示することができると共に、これらの表示を、発光ダイオードと回折格子フィルムの相対回転によって変化させることが可能になるため、数少ない発光ダイオードであっても、効果的な発光表示を行うことができる。これにより、発光ダイオードの必要個数を減らし、発光表示器のコストダウンを図ることができる。
また、前記複数の発光ダイオードには、発光色が異なる複数の発光ダイオード、又は多色発光可能な発光ダイオードが含まれることを特徴とすることを特徴とするものである。このようにすると、多色の発光表示が可能になるので、発光表示器の表現力をより高めることができる。
また、前記複数の発光ダイオードを柱体の表面に配置して、少なくとも螺旋表示を行う一方、前記回折格子フィルムを、前記柱体を覆う透明な筒体の内周又は外周に配置し、さらに、前記柱体と前記筒体を相対的に回転させることを特徴とするものである。このようにすると、理髪店用の看板装置に本発明を適用することができる。
【発明の効果】
【０００６】
以上のように構成された本発明によれば、回折格子フィルムの分色作用及び分像作用を利用して、発光ダイオードの発光を分色表示したり、分像表示することができると共に、これらの表示を、発光ダイオードと回折格子フィルムの相対回転によって変化させることができ、その結果、数少ない発光ダイオードであっても、効果的な発光表示を行うことが可能になる。
【発明を実施するための最良の形態】
【０００７】
［第一実施形態］
次に、本発明の第一実施形態について、図１及び図２を用いて説明する。図１において、１は第一実施形態に係る発光表示器であって、該発光表示器１は、理髪店用の看板装置として構成されたものであり、発光ダイオード２、柱体３、回転機構４、筒体５、回折格子フィルム６などを備えている。
【０００８】
発光ダイオード２は、少なくとも螺旋帯状の図柄を発光表示するように、柱体３の外周面に複数配置されている。本実施形態に適用する発光ダイオード２としては、発光色が異なる複数の発光ダイオード、又は多色発光可能な複数の発光ダイオードが含まれることが好ましい。例えば、発光色が異なる複数の発光ダイオード２（例えば、青色発光ダイオード２Ｂ、赤色発光ダイオード２Ｒ及び白色発光ダイオード２Ｗ）を含む場合は、同色を発光する発光ダイオード２Ｂ、２Ｒ、２Ｗ同士を群とし、これらの群を、柱体３の外周面に螺旋帯状に配置することができる。また、多色発光可能な複数の発光ダイオード２を含む場合は、これらの発光ダイオード２を、柱体３の外周面にマトリクス状又は螺旋帯状に配置し、その発光色制御により螺旋帯状の図柄を多色発光表示することができる。尚、本実施形態では、柱体３に内装される制御基板７によって、複数の発光ダイオード２が駆動制御される。
【０００９】
柱体３は、上端部及び下端部から突出する支軸３ａを一体的に備え、該支軸３ａを軸支する軸受８を介して、装置本体に回動自在に支持されている。回転機構４は、支軸３ａに設けられる第一ギヤ９と、この第一ギヤ９に噛合する第二ギヤ１０と、この第二ギヤ１０を回転させるモータ１１とからなり、モータ１１の駆動に応じて柱体３が回転される。また、装置本体から柱体３への電源供給は、給電手段を介して行われる。この給電手段は、例えば、支軸３ａの下端部に設けられるスリップリング１２と、このスリップリング１２に弾圧状に摺接するブラシ１３を用いて構成することができる。
【００１０】
筒体５は、透光性を有するアクリル樹脂などの素材からなり、柱体３の周囲を覆うように配置される。この筒体５は、本来、装置内部の発光ダイオード２、柱体３、回転機構４、制御基板７などを保護するために設けられるものであるが、本実施形態では、筒体５を利用し、その内周面全域に回折格子フィルム６を貼着している。
【００１１】
回折格子フィルム６は、例えば、ポリエステル等の素材からなる透光性のフィルムやシート（例えばＯＨＰ（オーバーヘッドプロジェクター）用シート等）に、平行で真直な多数の密な溝（格子）や線を周期的に施したものであり、光の回折現象を利用して、光を多色のスペクトルに分解する機能（以下、分色作用という。）や、光像を複数に分像する機能（以下、分像作用という。）を有している。このような機能を持つ回折格子フィルム６を発光ダイオード２の光路に配置し、発光ダイオード２（柱体３）と回折格子フィルム６（筒体５）を相対的に回転させると、発光ダイオード２の発光を分色表示したり、分像表示することができるだけでなく、その表示を上記相対回転に応じて変化させることができる。
【００１２】
具体的に説明すると、発光ダイオード２の発光は、その一部が回折格子フィルム６によって多色のスペクトルに分解され、虹色に表示される。この虹色表示は、柱体３の回転に伴って変化し、その効果が顕著になる。また、発光ダイオード２の発光は、回折格子フィルム６によって、マトリックス状に並ぶ複数（例えば９つ）の光像に分像される。これらの光像の間隔や明度は、発光ダイオード２と回折格子フィルム６の距離に応じて変化する。したがって、柱体３の回転に伴って、発光ダイオード２と回折格子フィルム６の距離が変化するようにすると、分像同士の距離や明度を変化させることができ、また、発光ダイオード２と回折格子フィルム６の距離を一定に保つようにすれば、柱体３の回転に拘わらず、分像同士の距離や明度を略一定に保つことができる。
【００１３】
尚、本発明に適用する回折格子フィルム６は、直線的な溝を施したものに限定されない。例えば、特定形状（例えばハート形状）の光像を映し出すように溝が施されたものなども用いることができる。また、回折格子フィルム６は、全体を一枚で構成することなく、複数に分割したものをモザイク状に貼り合わせてもよい。この場合、各回折格子フィルム６の溝の向きをランダムに配置すれば、発光ダイオード２と回折格子フィルム６の相対回転に伴う表示の変化が顕著になり、本発明の効果が高められる。また、本実施形態では、筒体５の内周面に回折格子フィルム６を備えるが、筒体５の外周面、又は、筒体５の内外周面双方に回折格子フィルム６を備えてもよい。
【００１４】
叙述の如く構成された本実施形態において、発光表示器１は、複数の発光ダイオード２を螺旋状に配置した柱体３と、この柱体３を回転させる回転機構４と、柱体３の周囲を覆う筒体５と、筒体５の周面に沿って設けられる回折格子フィルム６とを備えたものである。発光表示器１をこのように構成すると、回折格子フィルム６の分色作用及び分像作用を利用して、発光ダイオード２の発光を分色表示したり、分像表示することができると共に、これらの表示を、柱体３の回転に応じて随時変化させることが可能になる。これにより、数少ない発光ダイオード２であっても、効果的な発光表示を行うことができ、その結果、発光ダイオード２の必要個数を減らし、発光表示器１のコストダウンを図ることができる。
【００１５】
尚、本発明は、前記実施形態に限定されないことは勿論であって、例えば、発光ダイオード２が設けられる柱体３側を固定とし、回折格子フィルム６が設けられる筒体５側を回転させるようにしてもよい。また、柱体３及び筒体５を回転させてもよく、この場合には、柱体３と筒体５の回転速度又は回転方向を相違させる。また、前記実施形態では、筒体５の中心線上で柱体３を回転させているが、柱体３の回転中心を、筒体５の中心からオフセットしてもよい。このようにすると、発光ダイオード２と回折格子フィルム６の距離が均等ではなくなるため、発光表示器１を見る角度に応じて、表示形態を変化させることができる。また、筒体５の中心からオフセットした柱体３を、筒体５の中心回りに公転させながら、柱体３の中心回りに自転させるようにしてもよい。このようにすると、柱体３の回転に伴う表示形態の変化が一層顕著になる。また、柱体３は、一本に限定されず、複数本を設けることができる。このとき、各柱体３の回転速度や回転方向を相違させれば、表示形態の変化が顕著に現れる。
【００１６】
［第二実施形態］
次に、本発明の第二実施形態について図３を用いて説明する。ただし、前記実施形態と共通する構成については、第一実施形態と同じ符号を付し、第一実施形態の説明を援用する。
図３に示すように、第二実施形態に関わる発光表示器１Ｂでは、発光ダイオード２を配置する部材として板部材１４を用い、また、発光表示器１Ｂの内部機構を保護する部材として板部材１４の上方を覆うカバー部材１５を用いた点が第一実施形態と異なる。
【００１７】
板部材１４は、例えば、円形平面状のプリント基板で構成され、その上面に複数の発光ダイオード２が実装される。カバー部材１５は、例えば、透光性を有する樹脂などで半球状に構成され、その内周面に回折格子フィルム６が配置されている。また、本実施形態の発光表示器１Ｂには、板部材１４及び／又はカバー部材１５を回転させる回転機構（図示せず）が内装されている。この回転機構は、板部材１４又はカバー部材１５の中心を通る垂直線を中心として、板部材１４及び／又はカバー部材１５を回転させる。これにより、発光ダイオード２と回折格子フィルム６との間に相対回転が生じ、第一実施形態と同様の効果が得られる。尚、本実施形態のカバー部材１５は、半球状のものに限定されず、円錐状などに適宜変形することができる。
【００１８】
叙述の如く構成された本実施形態の発光表示器１Ｂは、第一実施形態と同様の効果を発揮することができる。また、本実施形態の発光表示器１Ｂでは、板部材１４又はカバー部材１５の回転中心がカバー部材１５と交差するため、回転に伴う表示形態の変化が顕著になるという利点がある。
【図面の簡単な説明】
【００１９】
【図１】（Ａ）は第一実施形態に係る発光表示器の斜視図、（Ｂ）は図１（Ａ）のＸ−Ｘ断面図である。
【図２】第二実施形態に係る発光表示器の内部構造を示す概略図である。
【図３】第二実施形態に係る発光表示器の斜視図である。
【符号の説明】
【００２０】
１    発光表示器
２    発光ダイオード
３    柱体
４    回転機構
５    筒体
６    回折格子フィルム
１４  板部材
１５  カバー部材
【図１】
2006145607.tif 000003
【図２】
2006145607.tif 000004
【図３】
2006145607.tif 000005